(57)【要約】【課題】従来、紙箱は、直方体又は立方体状をしているため、積重ねできず、箱を作ってから使用するまでの間、保管・運搬等に多大な空間を必要とし、無駄をしていた。本発明の課題は、これらの問題点を解決し、テーパー状の箱で、保管・運搬をし、使用直前に容易に角が直角の箱にでき、外観が従来の組立て式箱と変らないか、変っても少しで、違和感の余りないものを提供することである。【解決手段】隣接する側板２０，２０の端部のどちらか一方に細い扇形をしたテーパー形成片６０を設け、これに続けて、連結片３０を設け、他方に連結受片４０を設ける。前記連結片３０と連結受片４０とが互いに接触又は、接近した状態で移動し、所定の位置に達すると、箱材料の弾性により、元に戻らなくする連結手段を設ける。【選択図】図１
2010018288.tif 000002
【特許請求の範囲】
【請求項１】
長方形又は正方形の底板（１０）の互いに向き合う、少なくとも１対の辺（１２）、（１２）に、長方形の外側板（２１）と下記固定手段を備えた長方形の内側板（２２）とからなる二重の側板（２０）を設け、前記固定手段とは、内側板（２２）の端部に設けた固定突起（２２１）と底板（１０）の対応箇所に設けた固定孔（１０１）、側板押片（２３）、接着等からなり、
他の１対の互いに向き合う辺（１１）、(１１)に、長方形の一重又は二重の側板（２０）を設け、
隣接する側板（２０）、（２０）の端部の、どちらか一方に細い扇形をしたテーパー形成片（６０）を折れ曲り可能に設け、これに続けて扇形の連結片（３０）を折れ曲り可能に設け、他方に連結受片(４０)を折れ曲り可能に設け、
前記連結片（３０）と前記連結受片（４０）とが互いに接触又は接近した状態で移動し、所定の位置に達すると、箱材料の弾性により、元に戻らなくする連結手段を設けた、未使用時積重ね可能な箱。
【請求項２】
二重の側板(２０)の
細い扇形をしたテーパー形成片(６０)と扇形の連結片(３０)とを折れ曲がり可能に設けてない方の側板(２０)の端部に、
連結手段の一部を設けた又は設けてない補助片(５０)を折れ曲がり可能に設けた、請求項1に記載の未使用時積重ね可能な箱。
【請求項３】
連結片（３０）若しくは補助片（５０）又は連結受片（４０）の表面又は裁断面に、箱がテーパー状のときと箱の角が直角状のときとに応じて、掛り合う、切込（３１）,（５１）若しくは掛片〈３３〉又は周辺（４１）、受凹部（４２）、はめ孔(４３)若しくはテーパー凹部(４４)を設けたテーパー保持手段、
又は外側板（２１）と内側板（２２）とに挟まれたときに、該外側板（２１）と該内側板（２２）との境界線に接するテーパー保持部（５４）を設けた補助片（５０）よりなるテーパー保持手段、  
又はテーパー形成片(６０)との境界線及び該境界線とテーパー形成片（６０）の円弧との交点（６１）から垂線を引き、隣接する内側板（２１）の延長線との交点（３８）までの線分及び該延長線の線分及び隣接する連結受片（４０）の斜辺（４１）との境界線により囲まれた形状のテーパー保持部（３４）よりなるテーパー保持手段を設けた、請求項１又は２に記載の未使用時積重ね可能な箱。
【請求項４】
連結手段が連結片（３０）又は連結受片（４０）の表面に設けたものである、請求項１〜3のいずれか１項に記載の未使用時積重ね可能な箱。
【請求項５】
連結手段が連結片(３０)又は連結受片（４０）の裁断面に設けたものである、請求項１〜3のいずれか１項に記載の未使用時積重ね可能な箱。
【請求項６】
連結手段が連結片(３０)又は連結受片（４０）の表面に対して、垂直方向に働く、箱材料の弾性を利用したものである、請求項１〜3のいずれか１項に記載の未使用時積重ね可能な箱。
【請求項７】
連結手段が連結片(３０)又は連結受片（４０）の表面に対して、平行方向に働く、箱材料の弾性を利用したものである、請求項１〜3のいずれか１項に記載の未使用時積重ね可能な箱。
【請求項８】
連結手段が連結片(３０)又は連結受片（４０）の表面に対して、ねじり方向に働く、箱材料の弾性を利用したものである、請求項１〜3のいずれか１項に記載の未使用時積重ね可能な箱。
【請求項９】
底板（１０）が平行四辺形である、請求項１〜８のいずれか１項に記載の未使用時積重ね可能な箱。
【発明の詳細な説明】
【技術分野】
【０００１】
本発明は、未使用時に積重ね可能な箱に関する。詳しくは、未使用時にはテーパー状故、積重ね可能なため、積重ねて保管・運搬ができ、使用直前に容易に通常の角(かど)が直角な箱にできる箱に関する。
【背景技術】
【０００２】
従来、紙箱は、直方体又は立方体状をしているため積重ねができず、箱を作ってから使用するまでの間、保管(在庫)、運搬時等に多大な空間を必要とし、無駄をしていた。これの対策として、従来、大別して、２つの方策が採られていた。１つは、例えば、実開平６‐４２６５０号公報に示すように、組立て前の平らな状態で、保管、運搬をして、使用直前に箱に組立てる。この他にも使用直前に箱に組立てるものは、現在一般に菓子箱等に、多数使用されている。２つは、例えば、実開昭６３‐７４４１９号公報に示すように、テーパー状の箱を組立て、積重ねた状態で、保管、運搬をし、使用直前に一手間加えて、角を直角にして、通常の箱にするものである。テーパー状の箱から通常の箱に変える手段は、側板の端部に三角形の二次折込片を介して、設けた一次折込片状の係止突片を側板上に設けた係止切欠に掛けるものである。
【０００３】
しかし、上記２つ目のテーパー状で積重ね可能な箱には、次のような問題点があった。即ち、側板の内面には、係止片が目立ち外観上違和感を与え、又、折込空間を作るためには、側板の先端にある糊代片に接着剤をつけて底板と接着させるか、側板とその内面である折返板とを接着しなければならないという余分な工程が必要である。
【０００４】
テーパー状とは、本来の意味は、円錐状をいうが本明細書では、逆四角錐台状をいう。即ち、長方形又は正方形広くは平行四辺形の底板１０から、各側板２０(外側板２１と内側板２２とを合せて側板２０とする。)が開口部(蓋部)に向かって広がった状態をいう。
【０００５】
この明細書で使用とは、角を直角に整形後、箱の中に商品等を入れて、保管・運搬・販売等をすることをいう。未使用とは、テーパー状に箱を整形後、箱の中に何も入っていない状態をいう。
【０００６】
従来、隣接する側板２０に、連結片３０や連結受片４０等の互いを連結するものを設けた積重ね可能な箱は、なかった。
【０００７】
特許文献１のものは、所要の形状に裁断し、所要の位置に折線、切込、ミシン目を形成したシートを製函機により、折曲、接着して、中間製品を作製し、平らな状態で、保管、運搬して、使用直前に組立てて、使用する組立紙器である。
【０００８】
特許文献２のものは、予めテーパー状態の箱を作り、積重ねた状態で、保管、運搬し、使用直前に、テーパー状の側板を押えて、角が直角の通常の箱にするものである。但し、上記のように、外観上と工程上との点で、問題があった。
【特許文献１】実開平６‐４２６５０号「組立紙器」公報
【特許文献２】実開昭６３‐７４４１９号「包装用箱」公報
【発明の開示】
【発明が解決しようとする課題】
【０００９】
従来の技術では、保管・運搬時の空間ロス対策として、平らな状態の中間製品で、保管・運搬し、使用直前に通常の箱に組立てるものは、上記特許文献１以外にも多数のものがあり、実によくできてはいるが、箱に組立てるには、ワンタッチというほど簡単ではなく、指先の器用さやある程度の時間が必要であった。
【００１０】
テーパー状の箱を積重ねた状態で保管・運搬するものは、合理的であるが、外観上に従来の箱とは異なる点があるのは、箱の内面とはいえ、商品等の中身を取ると、目立つので、問題であり、又、製造工程が複雑なのも問題である。
【００１１】
本発明が解決しようとする課題は、これらの問題点を解決し、テ−パー状の箱で保管・運搬をし、使用直前に容易に角が直角な箱にでき、外観が従来の組立て式箱と変らないもの、変わっても少しで、違和感の余りないものを提供することである。  
【課題を解決するための手段】
【００１２】
本発明は、テーパー状で保管・運搬等をして、使用直前に角が直角の箱に整形するのを特徴とする。
【００１３】
請求項１に係る未使用時積重ね可能な箱は、長方形又は正方形の底板１０の互いに向き合う、少なくとも１対の辺１２,１２に、長方形の外側板２１と下記固定手段を備えた長方形の内側板２２とからなる二重の側板２０を設け、前記固定手段とは、内側板２２の端部に設けた固定突起２２１と底板１０の対応箇所に設けた固定孔１０１、側板押片２３、接着等からなり・他の１対の互いに向き合う辺１１,１１に、長方形の一重又は二重の側板２０を設け・隣接する側板２０,２０の端部のどちらか一方に細い扇形をしたテーパー形成片６０を折れ曲り可能に設け、これに続けて扇形の連結片３０を折れ曲り可能に設け、他方に連結受片４０を折れ曲り可能に設け・前記連結片３０と前記連結受片４０とが互いに接触又は接近した状態で移動し、所定の位置に達すると、箱材料の弾性により、元に戻らなくする連結手段を設けたものである。
【００１４】
形成とは、形作ることを言う。整形とは、形を整える意味で整形とした。テーパー状の箱は、いわば仮の姿で、直方体状の箱が真の姿と考えて、仮の箱を真の箱に形を整える意味で整形とした。
【００１５】
テーパー形成片６０は、より正確には、テーパー状態形成片と呼ぶべきもので、テーパー状態の箱を形成するためのものである。細い扇形は、夾角の小さい扇形の意味である。扇形でなくても夾角が同じ三角形でもよい。夾角が小さいので、円弧か直線かは、問題ではない。この夾角がテーパー状態の開き具合を決める。折れ曲り可能に設けるのは、箱がテーパー状から角が直角に整形される際に、境界部が折れ曲った状態から真直ぐな状態になる必要があるためである。その外に、平板状の紙から箱を作るには、いろいろ折り曲げねばならない。なお、図面の展開図で点線で示す箇所は、全て折れ曲り可能である。      
【００１６】
連結片３０が扇形なのは、テーパー形成片６０を介してつながっている、側板２０が底板１０の1辺を回転軸として、左右に回転可能にするためである。連結片３０が、外側板２１と内側板２２とに挟まれているためである。側板２０の高さを半径とする扇形が最大の大きさで、これよりも小であれば、他の形状でもよい。連結受片４０は、側板２０に折り重ねた状態で使用するので、扇形の必要はない。
【００１７】
少なくとも１対の辺に二重の側板２０が必要なのは、連結片３０と連結受片４０とが重なるか接近した状態で、外側板２１と内側板２２との間に挟まれる必要があるためである。補助片５０を設ける場合いは、補助片５０はこの２枚の側板に挟まれる必要がある。連結片３０等を外部から隠す意味もある。内側板２２に固定手段が必要なのは、連結片３０等を挟んだ状態に保つためである。他の１対の辺は、一重でもよい。
【００１８】
内側板２２の固定手段は、通常、側板押辺２３を利用する。連結片３０や連結受片４０等を挟んだ内側板２２の外側に側板押辺２３を設け、テーパー状の箱に組立てた際、両脇の内側板２２に設けた側板押片２３の下にもぐらせる。又は側板押片２３の両脇に鋸歯突起２３１や小突起２３２を設けて、隣接する内側板２２の相当する位置に固定孔２０１を開けて、これらの突起をはめて、固定する。後記実施例で説明する。又は内側板２２の外側に固定突起２２１を設け、底板１０のこの内側板２２を設けた辺の固定突起２２１に相当する位置に固定孔１０１を開けて、この固定突起２２１をはめて固定する。又は接着剤で固定してもよい。接着剤使用の場合は、側板押片２３を用いずに内側板２２を直接外側板２１に固定してもよい。側板押片２３を接着剤で固定してもよい。
【００１９】
連結とは、連結片３０と連結受片４０とが互いに接触又は接近した状態で、位置を変え、所定の位置に達すると、箱材料の弾性により、元に戻れなくなることをいう。位置を変えることを移動という。本発明の場合、所定の位置に到達とは、テーパー状の側板２０が押されて、直角になることである。
【００２０】
連結片３０と連結受片４０とは、互いに重なった状態又は接近した状態で外側板２１と内側板２２との間に挟まれた状態で,テーパー状の箱に組立てられる。通常は、互いに接触しているが、実施例３等の裁断面同士の接触では、時には接触していない場合があるかもしれないが、接近はしている。補助片５０と連結受片４０とが連結する場合は、連結片３０を間に挟んでいるが、このような状態も接近した状態という。移動中は、このように互いに接触又は接近した状態にある。連結片３０と連結受片４０との関係で掛片３３やはめ孔４３は、どちら側に設けてもよい。説明し易いように、連結片３０、連結受片４０と別名称にしたが、働きは、同じようなものである。
【００２１】
連結手段は、連結片３０又は補助片５０と連結受片４０とのいずれか一方に掛片３３や切込５１等の引っ掛けるものを設け、他方に斜辺４１やはめ孔４３等の引っ掛けられるものを設けることで成り立つ。一方が、例えば連結片３０や補助片５０が移動して、所定の位置即ち、掛片３３等が斜辺４１やはめ孔４３に掛ると、もう逆方向には戻れず、連結したことになる。
【００２２】
箱の材料は、通常の紙箱の材料に使用されている厚紙が、主として用いられるが、薄いダンボールでもよいし、プラスチックの薄いシートでもよい。その他、箱を形成するシート状の材料であればよい。
【００２３】
箱本体の外に蓋も同様にして作られる。蓋の方は、底板が一回り大きく、即ち、箱本体の底板が蓋の内側に、丁度はまる大きさにして、高さが低い箱にすればよい。高さが低くても、テーパー状に広がっていれば、積重ね可能である。
【００２４】
請求項２に係る未使用時積重ね可能な箱は、二重の側板２０の・細い扇形をしたテーパー形成片６０と扇形の連結片３０とを折れ曲がり可能に設けてない方の側板２０の端部に・連結手段の片方を設けた又は設けてない補助片５０を折れ曲がり可能に設けた、請求項１に記載のものである。
【００２５】
請求項２に係る未使用時積重ね可能な箱は、請求項１のものに補助片５０を追加したものである。
【００２６】
二重の側板２０とは、外側板２１と内側板２２とから成る側板２０のことである。外側板２１と内側板２２との内、端部にテーパー形成片６０と連結片３０とが折れ曲がり可能に設けてない方即ち、端部が空いている方の側板２０の端部に、補助片５０を折れ曲がり可能に設けた、請求項１に記載の未使用時積重ね可能な箱である。
【００２７】
補助片５０には、連結手段の一部を設けてもよいし、設けなくてもよい。補助片５０は、細い扇形をしたテーパー形成片６０を折れ曲がり可能に隣設(連続して設ける。)してもよい。なお、補助片５０の形状は、扇形に限らない。後記実施例４の図４(D)で説明している。
【００２８】
請求項３に係る未使用時積重ね可能な箱は、連結片３０若しくは補助片５０又は連結受片４０の表面又は裁断面に、箱がテーパー状のときと箱の角が直角状のときとに応じて、掛り合う、切込３１，５１若しくは掛片３３又は周辺４１、受凹部４２、はめ孔４３若しくはテーパー凹部４４を設けたテーパー保持手段・又は外側板２１と内側板２２とに挟まれたときに、該外側板２１と該内側板２２との境界線に接するテーパー保持部５４を設けた補助片５０よりなるテーパー保持手段・又はテーパー形成片６０との境界線及び該境界線とテーパー形成片６０の円弧との交点６１から垂線を引き、隣接する内側板２１の延長線との交点３８までの線分及び該延長線の線分及び隣接する連結受片４０の斜辺４１との境界線により囲まれた形状のテーパー保持部３４よりなるテーパー保持手段を設けた、請求項１又は２に記載のものである。
【００２９】
請求項３に係る未使用時積重ね可能な箱は、請求項１又は２のものにテーパー保持手段を追加したものである。請求項１又は２のものは、テーパー状の側板２０に開く力が掛ると、側板２０が開くことがある。これを防止するため、テーパー保持手段を追加したものである。
【００３０】
テーパー保持手段の１つ目は、内側板２２を折り曲げて、外側板２１に重ね合せると、補助片５０は連結片３０に重なるので、連結片３０若しくは補助片５０又は連結受片４０の表面又は裁断面に、箱がテーパー状のときと箱の角が直角のときとに応じた切込３１、掛片３３若しくは切込５１又は受凹部４２、はめ孔４３若しくはテーパー凹部４４を設けたものである。テーパー状のときに掛片３３がテーパー凹部４４に掛っているので、側板２０は開かない。側板２０が押し付けられて、角が直角になると、掛片３３は斜辺４１、受凹部４２に掛り、直方体状の箱に整形される。なお、周辺４１は、連結受片４０の外周部分を意味し、斜辺４１はその一部である。連結受片４０は、三角形に限らないので、他の形状で周辺部が掛片３３等に掛れば、周辺４１になる。
【００３１】
テーパー保持手段の２つ目は補助片５０によるもので、外側板２１と内側板２２とに挟まれたときに、この外側板２１とこの内側板２２との境界線に接するテーパー保持部５４を補助片５０に設けたものである。上縁部２４があるときは、上縁部２４と外側板２１・内側板２２との境界線に接することになる。
【００３２】
テーパー保持手段の３つ目のものは、テーパー形成片６０との境界線及びこの境界線と円弧との交点６１から垂線を引き、隣接する内側板２１の延長線との交点３８までの線分及びこの延長線及び隣接する連結受片４０の斜辺４１との境界線により囲まれた形状のテーパー保持片３４によるものである。
【００３３】
これらのテーパー保持手段を請求項１又は２に記載の未使用時積重ね可能な箱に追加して設けたことにより、側板２０は、テーパー状態から外へ開く方向には動かず、閉まる方向即ち、角が直角になる方向には動く。従って、テーパー状の箱を積重ねて、側板２０を開く力が掛っても、側板２０は開かず、テーパー状態が安定する。
【００３４】
請求項４に係る未使用時積重ね可能な箱は、連結手段が連結片３０又は連結受片４０の表面に設けた、請求項１〜３のいずれか１項に記載のものである。表面同士の連結によるものである。例えば、表面に設けた掛片３３や受凹部４２、はめ孔４３等によるものである。  
【００３５】
請求項５に係る未使用時積重ね可能な箱は、連結手段が連結片３０又は連結受片４０の裁断面に設けた、請求項１〜３のいずれか１項に記載のものである。裁断面同士の連結によるものである。例えば、裁断面に設けた掛片３３や受凹部４２等によるものである。実施例７で、裁断面同士の例を挙げて説明している。  
【００３６】
請求項６に係る未使用時積重ね可能な箱は、連結手段が連結片３０又は連結受片４０の表面に対して、垂直方向に働く、箱材料の弾性を利用したものである、請求項１〜３のいずれか１項に記載のものである。例えば、実施例１や２に記載のものである。  
【００３７】
請求項７に係る未使用時積重ね可能な箱は、連結手段が連結片３０又は連結受片４０の表面に対して、平行方向に働く、箱材料の弾性を利用したものである、請求項１〜３のいずれか１項に記載のものである。実施例３で例を挙げて説明している。  
【００３８】
請求項８に係る未使用時積重ね可能な箱は、連結手段が連結片３０又は連結受片４０の表面に対して、ねじり方向に働く、箱材料の弾性を利用したものである、請求項１〜３のいずれか１項に記載のものである。実施例８で例を挙げて説明している。  
【００３９】
請求項９に係る未使用時積重ね可能な箱は、底板１０が平行四辺形である、請求項１〜８のいずれか１項に記載のものである。実施例９で例を挙げて説明している。  
【発明の効果】
【００４０】
請求項１の発明は、テーパー状の箱で積重ねて保管・運搬をし、使用直前に容易に角が
直角な箱にでき、外観が従来の組立て式の箱と変わらないか余り変わらず、違和感のないか余りないものができるという効果がある。
【００４１】
請求項２の発明は、テーパー状の箱で積重ねて保管・運搬をし、使用直前に容易に角が
直角な箱にでき、外観が従来の組立て式の箱と変わらないか余り変わらず、違和感のないか余りないものができるという効果がある。
【００４２】
請求項３の発明は、テーパー状態が安定した、テーパー状の箱で積重ねて保管・運搬をし、使用直前に容易に角が直角な箱にでき、外観が従来の組立て式の箱と変らないか余り変わらず、違和感のないか余りないものができるという効果がある。
【００４３】
請求項４の発明は、テーパー状の箱で積重ねて保管・運搬をし、使用直前に容易に角が直角な箱にでき、外観が従来の組立て式の箱と変らないか余り変らず、違和感のないか余りないものができるという効果がある。
【００４４】
請求項５の発明は、テーパー状の箱で積重ねて保管・運搬をし、使用直前に容易に角が直角な箱にでき、外観が従来の組立て式の箱と変らないか余り変らず、違和感のないか余りないものができるという効果がある。
【００４５】
請求項６の発明は、テーパー状の箱で積重ねて保管・運搬をし、使用直前に容易に角が直角な箱にでき、外観が従来の組立て式の箱と変らないか余り変らず、違和感のないか余りないものができるという効果がある。
【００４６】
請求項７の発明は、テーパー状の箱で積重ねて保管・運搬をし、使用直前に容易に角が直角な箱にでき、外観が従来の組立て式の箱と変らないか余り変らず、違和感のないか余りないものができるという効果がある。
【００４７】
請求項８の発明は、テーパー状の箱で積重ねて保管・運搬をし、使用直前に容易に角が直角な箱にでき、外観が従来の組立て式の箱と変らないか余り変らず、違和感のないか余りないものができるという効果がある。
【００４８】
請求項９の発明は、テーパー状の箱で積重ねて保管・運搬をし、使用直前に容易に角が直角な箱にでき、外観が従来の組立て式の箱と変らないか余り変らず、違和感のないか余りないものができるという効果がある外に、底板１０が平行四辺形であるので、菱形外平行四辺形の箱ができるという効果がある。
【発明を実施するための最良の形態】
【００４９】
箱を保管・運搬するときの空間の無駄を省くという目的をテーパー状態の箱を組立て、保管・運搬し、使用直前に容易に角が直角の箱にすることで実現した。以下、発明を実施するための最良の形態を実施例により説明する。
【実施例１】
【００５０】
実施例１の積重ね可能な箱を図1に基づいて説明する。図1の（Ａ）は、積重ね可能な箱の展開図である。長方形の底板１０の各辺に、外側に向かって長方形の外側板２１、その先に長方形の内側板２２、その先に細長い側板押片２３を設ける。図の説明をわかり易くするため、長辺１１に設けた側板等にはａを付け、短辺１２に設けた側板等にはｂを付ける。図の点線は、折曲部(箇所)を示し、曲げ易くしておく。図の点線部分は、全て折れ曲り可能である。折れ曲り可能に取り付ける、と書くべきところを省略している。
【００５１】
長辺１１に設けた外側板２１ａの両端に、細い扇形のテーパー形成片６０を設け、(正確にはテーパー形成片６０を折れ曲り可能に設け、と書くべきである。)その先に扇形の連結片３０を設ける。連結片３０には切込３１を入れる。後記図１の（Ｂ）、（Ｃ）、（Ｄ）に示すように掛片３３に変える。内側板２２aの両端に、向きを逆にした細い扇形のテーパー形成片６０を設け、その先に向きを逆にした扇形の補助片５０を設ける。補助片５０の扇形と連結片３０の扇形とは、同じ形状ではない。補助片５０の方が、夾角が大きい。２つのテーパー形成片６０は、裏返すと同じ形状である。内側板２２ａを折り曲げて、外側板２１ａに重ねると、２つのテーパー形成片６０は重なり、細い扇形は同じ夾角になる。この夾角により、テーパー状の箱の開き具合が決まる。
【００５２】
テーパー形成片６０、連結片３０、補助片５０の扇形は、外側板２１ａと内側板２２ａとが重なったものが、長辺１１を中心軸に回転(動)状に動き易くするためのもので、厳密に扇形でなくてもよく、多少変形していても、多角形でもよい。この、側板２０の高さを半径とした扇形が最大の形状で、これよりも小さければ、側板２０は動く。
【００５３】
短辺１２に設けた外側板２１ｂの両端に、直角三角形(以下単に三角形とする。)の連結受片４０を設ける。直角三角形は厳密でなくてよく、直角部分が多少鋭角になってもよい。内側板２２ｂの両端には何も設けない。
【００５４】
扇形の連結片３０には、図（Ａ）で示した切込３１を図（Ｂ）、（Ｃ）、（Ｄ）に示すように、掛片３３に変える。掛片３３は、三角錐状の突起で、テーパー状の箱を角が直角の箱（直方体状の箱）に整形したときに、連結受片４０の斜辺４１に掛るものである。位置は、半径上のどこでもよいが、円弧に近い方が箱が強くなる。掛片３３の先端がある半径の角度は、箱をテーパー状に組立て・運搬・保管後、使用直前に角を直角に整形したとき、即ち直方体状の箱に整形したときに、掛片３３が斜辺４１に丁度掛るように設定する。作り方は、半径上に短い切込３１を入れ、三角錐状のくぼみ付きの台上で切込３１の中央部を押えると、くぼんで三角錐状の掛片３３ができる。図の（Ｃ）、（Ｄ）では、わかり易くするため、上下逆にしている。
【００５５】
補助片５０には、円弧部分に切込５１を入れる。切込５１の長さは適宜でよい。切込５１の、外側（底板１０の反対側）部分は、上方に少し折り曲げておく。（引っ掛かり易くするためである。内側板２２ａを折り曲げて重ねると、下方に折り曲げたことになる。）連結受片４０の斜辺４１には、掛片３３が掛り、二重に確実性が増すためである。上方とは、展開図の状態で箱の底面から蓋（開口部）に向かう方向をいう。連結片３０にも円弧部に切込３１を入れて同様にしてもよい。後記実施例９は、このようにしている。
【００５６】
連結片３０と連結受片４０とは、互いに隣接しておればよく、長辺１１に設けた外側板２１ａに付けるか、短辺１２に設けた外側板２１ｂに付けるかは、関係なく、どちらに付いてもよい。即ち、（Ａ）とは逆に外側板２１ａに連結受片４０を付けてもよい。
【００５７】
連結受片４０は、三角形にするのが単純で、又、有効であるが、他の形状にしてもよい。後述（他の実施例）のように、掛る所も斜辺４１の外に凹部や孔等もあるので、形状は選ばない。
【００５８】
テーパー状の箱に組立てるには、図の（Ｅ）に示すように、長辺１１に設けた外側板２１ａと内側板２２ａとを折畳むように、折り曲げて重ねた上、底板１０に直角よりも外側に、やや斜めになるように折り曲げる。対辺１１に設けた外側板２１aと内側板２２ａも同様に直角よりも外側に、やや斜めに折り曲げる。断面が台形を逆にしたような状態になる。側板押片２３ａは、両方とも底板１０に重なった状態になる。
【００５９】
側板２１ａ、２２ａの両端に設けた２つのテーパー形成片６０が重なった状態になっているので、折り曲げる。更にその先の連結片３０と補助片５０とが重なった状態になっているので、２枚ともテーパー形成片６０に沿って折り曲げる。
【００６０】
次に、一方の短辺１２に設けた外側板２１ｂの両端にある三角形の連結受片４０を両方とも点線に沿って、内側に重なるように折り曲げ、この外側板２１ｂを上記の２枚重なった扇形連結片３０と扇形補助片５０とに重ねるように折り曲げる。次に内側板２２ｂを内側に折り曲げて、側板押片２３ｂを底板１０に重ねる。連結片３０、補助片５０は、外側板２１ｂと内側板２２ｂとの間に挟まれた状態になる。左右の長辺１１に沿った側板押片２３ａの上に、短辺１２の側板押片２３ｂが乗った状態になる。この短辺１２の側板押片２３ｂを、前記長辺１１の側板押片２３ａ、２３ａの下側にもぐらせて、固定する。
【００６１】
次に他方の短辺１２に設けた外側板２１ｂ、内側板２２ｂ、側板押片２３ｂも同様にする。テーパー状の即ち、上方に広がった、逆四角錐台状の箱ができる。これが未使用状態の積重ね可能な箱である。この状態の積重ね可能な箱を複数枚適宜な枚数を積重ねて、保管・運搬する。
【００６２】
使用直前にこのテーパー状の積重ね可能な箱を図の(Ｆ)のように、台の上に一方の外側板２１を下にして立てた状態に置き、両手で斜めになった他方の外側板２１の両端を押え付けると(図の矢印のように)、ワンタッチで、図（Ｇ）のように、角が直角状になり、直方体状の箱になる。テーパー形成片６０は、短辺１２に設けた外側板２１ｂと内側板２２ｂとの間に入り、扇形の連結片３０に設けた掛片３３及び補助片５０の切込５１が、三角形の連結受片４０の斜辺４１に掛り、テーパー状の箱には逆戻りしない。連結受片４０に掛る掛片３３と切込５１とが二重になるので、確実性が増す。外観は、従来技術の組立て箱と全く同じである。
【実施例２】
【００６３】
実施例2の積重ね可能な箱を図2に基づいて説明する。実施例２のものは、底面が正方形で側板が肉厚であり、更にテーパー状態保持機能を備えたものである。
【００６４】
図２の（Ａ）は、実施例２の積重ね可能な箱の展開図である。正方形の底板１０の各辺１１、１２に、外側に向かって、外側板２１を設け、その先に上縁部２４を設け、その先に内側板２２を設け、更にその先に側板押片２３を設ける。なお、図の説明をわかり易くするため、互いに向き合う２辺１１、１１に設けた側板等にはaを付け、他の互いに向き合う２辺１２、１２に設けた側板等にはbを付ける。
【００６５】
互いに向き合う２辺１１、１１に設けた外側板２１ａの一端に、細い扇形のテーパー形成片６０を設け、更に後記の連結片３０を設ける。外側板２１ａの他端には、実施例１と同様に、テーパー形成片６０と扇形の連結片３０とを設ける。内側板２２ａの一端に、テーパー形成片６０を設けた上、細長い三角形の補助片５０を設ける。テーパー形成片６０との境界線と円弧との交点６１から、この境界線に対して垂線を引き、内側板２１ａと側板押片２３ａとの境界線の延長線との交点までをテーパー保持部５４とする。テーパー保持部５４の働きは後記。内側板２２ａの他端には、補助片５０は設けない。補助片は必ずしも必要ではない。なくてもよいものである。
【００６６】
一端側の連結片３０は、(Ｂ)に示すように、テーパー形成片６０との境界線（点線部）及びこの境界線と円弧との交点６１から、この境界線即ち扇形の半径に対して、垂線を引き、外側板２１ｂと上縁部２４ｂとの境界線の延長線との交点３８までの線分及び外側板２１ｂと上縁部２４ｂとの延長線及び連結受片４０の斜辺４１との境界線で囲まれた四角形の形状である。実施例１の扇形の連結片３０よりも大きくなっている。交点６１と交点３８との間の線分がテーパー保持部３４である。但し、正確にいえば、交点６１と交点３８との間の線分全体ではなく、交点３８近くの僅かの線分があればよい。即ち、他の線分は、湾曲していてもよい。
【００６７】
テーパー状の箱に組立てたとき、連結片３０は、外側板２１ｂと内側板２２ｂとの間に挟まれ、テーパー保持部３４は、外側板２１ｂと上縁部２４ｂ、上縁部２４ｂと内側板２２ｂとの境界線に接する。従って、テーパー保持部３４は、上方には進めず外側板２１ａと内側板２２ａとが開く方向には、動けず、テーパー状態が保持される。即ち、側板２１ａ、２２ａの外側への回転運動を阻止する。外側板２１ａと内側板２２ａとが閉まる方向には動ける。従って、連結片３０は、テーパー保持部３４を兼ねることになる。テーパー保持部３４は、他の形状のものでも、この機能を持つものであればよい。テーパー保持部３４は、正確にはテーパー状態保持部というべきものである。
【００６８】
連結片３０には、実施例１と同様、箱の角を直角に整形したときに連結受片４０の斜辺４１に引っ掛って連結する、掛片３３を設ける。
【００６９】
（Ｃ）に示すように、他端側の扇形の連結片３０には、円弧部に切込３１を入れ、下側に折り曲げて、テーパー保持部３４と掛片３３とに変える。図では、わかり易いように、上下を逆にしている。なお、図（Ｃ）の矢印の先の円内は、拡大の外に、折り曲げの加工後を示している。切込３１の位置は、テーパー保持部３４が、箱をテーパー状に組立てたときに、斜辺４１に掛って、テーパー状態を保持し、掛片３３が、角を直角に整形したときに、斜辺４１に掛って、箱の形状が安定するように設定する。
【００７０】
他の互いに向合う２辺１２、１２に設けた外側板２１ｂの両端には、三角形の連結受片４０を設ける。内側板２２ｂの両端には、何も設けない。
【００７１】
内側板２２ａの他端側に補助片５０を設けないのは、１つの実施例に複数の例を盛り込もうとしたもので、両方とも補助辺５０あり、両方とも補助辺５０なしとしてもよい。外側板２１ａの一端と他端とで、連結片３０を変えたのも、同じ目的である。
【００７２】
箱への組立て、使用方法は、実施例１のものと同様である。外側板２１と内側板２２との間には、上縁部２４があるので、厚い側板が得られる。細長い三角形の補助片５０は長いので、先端同士が当るときは、重ねるようにする。補助片５０は、外側板２１ｂと内側板２２ｂとに挟まれ，側板を補強する効果の外に、箱をテーパー状態に組立てたときに、テーパー形成片６０との境界線との垂線５４が上方へ進めず、側板２０が外側へ開かないようにするテーパー保持機能の働きをする効果もある。
【００７３】
実施例２の積重ね可能な箱は、肉厚の側板が得られ、テーパー保持部３４、５４のため、未使用時に多数積重ねて、荷重が掛っても、テーパー状態が確実に、保たれる効果がある。
【実施例３】
【００７４】
実施例3の積重ね可能な箱を図3に基づいて説明する。実施例3の積重ね可能な箱は、長方形の底板１０の長辺１１に設けた１対の側板２０ａが一重で、短辺１２に設けた１対の側板(外側板２１ｂと内側板２２ｂ)が二重になったものである。連結手段を裁断面に設けたものである。実施例３でも、図の説明をわかり易くするため、長辺１１に設けた側板にはaを付け、短辺１２に設けた側板等にはbを付ける。
【００７５】
図３の（Ａ）は、積重ね可能な箱の展開図である。長方形の底板１０の長辺１１に、外側に向かって、長方形の側板２０ａを設ける。この側板２０ａの一端に、細い扇形のテーパー形成片６０を設け、更に扇形を変形した下記の連結片３０を設ける。側板２０ａの他端側には、細い扇形のテーパー形成片６０を設け、更に実施例２の図２の（Ｃ）に示すものと同様に、扇形の連結片３０を設ける。円弧部に切込３１を４本入れ、下側に折り曲げて、テーパー保持部３４と掛片３３とに変える。
【００７６】
一端側の連結片３０の形状は、図３の（Ｂ）に示すように、実施例１の扇形連結片３０の上部(図面の)を短辺１２に平行に切り、円弧部に掛片３３を設けたものである。なお、連結片３０の上方にある鎌形の形状のものが、連結受片４０である。連結受片４０は、（C）に示すように、外側板２１ｂ上に折り曲げられ、外側板２１ｂと重なった状態で、連結片３０と作用して連結する。
【００７７】
外側板２１ｂの両端には、上記の鎌様連結受片４０を設ける。上記のように、連結片３０と連結受片４０とは、１枚の正方形から互いを切り取ったような関係の形状で受凹部４２やテーパー凹部４４の位置は、試行錯誤法により決める。
【００７８】
一方の短辺１２に外側に向かって外側板２１b、内側板２２ｂ、更に側板押え片２３ｂを設ける。側板押え片２３ｂの両脇には、鋸歯突起２３１又は小突起２３２を設ける。
【００７９】
側板２０ａの長辺１１沿いのこれらに対応した場所に、これらの突起２３１，２３２がはまる固定孔２０１を設ける。
【００８０】
他方の短辺１２の方（図では左側）には、外側板２１ｂと内速版２２ｂだけで、側板押片２３ｂは設けない。内側板２２ｂの外側には、幅（出代）が底板１０の厚さ程度で、長さが適宜の細い長方形状の固定突起２２１を通常２個設ける。側版２０ｂが長い場合は、適宜増やしてよい。
【００８１】
底板１０の短辺１２沿いの、この固定突起２２１に対応した位置に、固定突起２２１が丁度はまる大きさの固定穴１０１を設ける。これらは、内側版２２bの固定手段であって、底板１０の端部に固定孔１０１があっても、箱の通常の使用方法では、箱の底面故、固定孔１０１の存在には、気がつかない。
【００８２】
この外に固定手段としては、接着剤で固定してもよい。他端側に側板押片２３を設けないのは、１つの実施例に複数の例を盛り込もうとしたもので、両方とも側板押片２３あり、両方とも側板押片２３なしとしてもよい。
【００８３】
箱をテーパー状態に組立てたときに、一端側の連結編３０の掛片３３が連結受片４０のテーパー凹部４４に、はまるように、位置を設定する。テーパー保持機能として働く。テーパー状の箱を角が直角になるように整形した際に、丁度受凹部４２に掛片３３がはまるように、受凹部４２の位置を決める。なお、試作品で試験した際には、これでうまく行ったが、紙の厚みが大のとき等、掛片３３が引っ掛かる等して、スムーズに行かない場合は、（Ｄ）に示すように、切込部３５を設けて、掛片３３にクッション（弾性）を持たせてもよい。切込部３５の幅は、掛片３３の高さ程度でよい。なお、図面では小さくて、描きにくいので、省略したが、掛片３３やテーパー凹部４４の向きは、正確ではない。掛片３３と受凹部４２とは、兼用にならないので、それぞれ掛片３３用、受凹部４２用に形を決めねばならない。
【００８４】
又、紙の厚みが小のとき等、掛片３３と受凹部４２とがうまく掛らない場合には、(E)に示すように、掛片３３の大きさを２倍にした形状にして、点線部で折り曲げて、掛り易くしてもよい。受凹部４２もL字形に切込４５を入れて、折り曲げて、掛り易い受凹部４２にしてもよい。
【００８５】
テーパー状の箱に組み立てるには、実施例１と同様にする。連結受片４０も形状は変ったが、同様に折り曲げて、外側版2１ｂに重ねる。内側版２２ｂの固定手段も適宜選ぶ。テーパー状の箱ができる。実施例３のものは、側版２０が一重なので、材料が節約できる。連結手段が、裁断面同士で働くのも特徴である。なお、他端側の扇形連結片３０は、実施例２の図２の（Ｃ）に示すものと同様である。
【実施例４】
【００８６】
実施例4の積重ね可能な箱を図4に基づいて説明する。実施例４は、連結片３０と連結受片４０とを実施例１〜３のように外側版２１に設けるのではなく、内側版２２に設けてもよいことを示すものである。又、連結手段も他の例を記す。図は、部分展開図で、何れも連結片３０と連結受片４０等を示し、全体図は省略する。
【００８７】
（Ａ１）に示すものは、部分展開図で、長辺１１に設けた内側版２２ａの両端にテーパー形成片６０を介して、扇形の連結片３０を設ける。短辺１２に設けた内側板２２ｂの両端に、三角形の連結受片４０を、直角部を下（図面の）にして設ける。連結片３０や連結受片４０は、（Ａ２)に示すように、内側板２２ａを折り曲げて、外側板２１ａに重ね合せると、実施例１〜３に近い形になる。更に、（Ａ３）に示すように、内側板２２ｂを折り曲げると、実施例１〜３と同様になる。
【００８８】
（Ａ１）に示すように、連結片３０にL字形の切込３１を入れ、上方に押上げて（内側板２２aを折り曲げると、下方になる。）、掛片３３にする。位置は、テーパー状の箱を使用直前に角が直角な箱に整形した際に、連結受片４０の斜辺４１に掛るように、試行錯誤法で決定する。テーパー状の箱に組み立てるには、実施例１と同様にする。使用方法等は、実施例１と同様である。なお、このままでは、テーパー保持機能はない。実施例２の図２の（Ｃ）に示すように、扇形連結片３０の円弧部に切込３１を４本入れて、上側に折り曲げて、テーパー保持部３４と掛片３３とに変えると、テーパー保持機能を有する。
【００８９】
（Ｂ）に示すのは、（Ａ１)のものの各外側板２１a、２１bの両端に直角三角形の補助片５０,５０を設けたものである。補助片５０,５０の外、連結片３０、連結受片４０も（Ａ１）〜（Ａ３） と同様に、折り曲げると、実施例１〜３のようになる。補助片５０、５０を設けたことにより、箱に整形後、側板がしっかりするという効果がある。その他は、（Ａ１）と同様である。なお、（Ｂ）のままでは、保持機能がないのは、（Ａ１）〜（Ａ３）に示したものと同様である。テーパー保持機能を有するためには、（Ａ１）〜（Ａ３）と同様にすればよい。
【００９０】
（Ｃ１）に示すものは、（Ａ１）の連結受片４０を正方形に変えて、外側板２１bの両端に移設したものである。連結受片４０には、はめ孔４３を開ける。連結片３０の掛片３３は、そのままである。(Ｃ１)では、切込の段階を示す。（Ｃ２）に示すように、連結受片４０を外側板２１ｂ側に折り曲げ、内側板２２ａを外側板２１a側に折り曲げる。使用方法等は、実施例１と同様である。（Ｃ１）、（Ｃ２）のままでは、テーパー保持機能がないことと保持機能を有するためには、（Ａ１）〜（Ａ３）、（Ｂ）に示すものと同様にすればよい。
【００９１】
（Ｄ）に示すものは、両内側板２２ａ、２２ｂに扇形の補助片５０、５０を設けたものである。連結片３０、連結受片４０は、外側板２１ａ、２１ｂの両脇に設ける。補助片５０が２個あるので、箱に整形後、側板がしっかりする効果がある。なお、２個の補助片５０,５０のうち、連結片３０を設けた外側板２１ａに隣接する、内側板２２ａに設ける補助片５０には、テーパー形成片６０を隣設する。（Ｄ）のままでは、テーパー保持機能がないことと保持機能を有するためには、(A１)~(A３)と同様にすればよい。なお、内側板２２ｂに設けた補助片５０即ち、テーパー形成片６０がない方の形状は、扇形に限らず、正方形や長方形等他の形状にしてもよい。
【００９２】
連結片３０の円弧部分又は、平面部分に切込３１や掛片３３等を適宜設けると、実施例２〜３と同様、テーパー保持機能を持たせることができる。
【実施例５】
【００９３】
実施例５の積重ね可能な箱を図５に基づいて説明する。実施例５は、テーパー保持手段に関するものである。テーパー保持手段については、実施例２で一部説明したがそれ以外のものについて説明する。
【００９４】
（Ａ）に示すものは、実施例２の図２の（Ｃ）に示したものと同様のものである。テーパー状態のとき、テーパー保持部３４は、連結受片４０の斜辺４１に掛り、外側板２１a、内側板２２aが開く方向には動かないので、箱はテーパー状態を保つ。角が直角になると、掛片３３が斜辺４１に掛り、通常の箱の形になる。
【００９５】
（Ｂ）は、（Ａ）の説明図で、連結片３０は、○印の矢印方向には進が、×印の矢印方向には進めない。即ち、テーパー状態から開く方向には、外側板２１a、内側板２２ａは動けないので、テーパー状態は安定する。外側板２１a、内側板２２aが閉まる方向には、動けるので、角が直角の箱にはできる。この場合の弾性は、紙の裁断方向即ち、紙の表面の垂直方向に働く。
【００９６】
（Ｃ）は、裁断面同士の連結手段（機構）の説明図で、連結片３０の周辺部に設けた切込部３５のため、半島状に突き出た支持台３２は、箱材料の弾性により動く。この支持台３２の先に掛片３３を設ける。一方、連結受片４０の湾曲部には、テーパー凹部４４と受凹部４２とを設ける。図に矢印と○×とで示したように、半島状の支持台３２は、弾性により下がり(半島部が曲がり)、テーパー状から直方体状には進が、即ち、図の右から左には掛片３３は進むが、逆方向には、弾性により押し上げられた掛片３３が三角形状の凹部４２,４４に掛り、動けない。直方体状になったときも、掛片３３は三角形の受凹部４２から右方向には進めないので、直方体状の箱は、安定する。この場合の弾性は、紙の表面に平行方向に働いている。
【００９７】
（Ｄ）は、実施例２（図２）に示したもの以外のテーパー保持部３４を示し、形状は類似（但し、裏返した形で連結受片４０分を合わせた形状）であるが、設ける場所が異なる。テーパー保持部３４は、連結片３０の一部である。内側板２２ａの端部にテーパー形成片６０を設け、その先に連結片３０に付属したテーパー保持部３４を設ける。内側板２２ａを折り曲げて、外側板２１aに重ね合わせると、実施例２(図２)に示したものと類似になる。(上縁部２４がない。)
【００９８】
（Ｅ）は、（Ｄ）に示すものの外側板２１ａの端部に、テーパー形成片６０と連結片３０を設けたもので、連結片３０は、テーパー保持部３４を兼ねたものである。（Ｄ）に示したものの連結片３０は、形状が同じの補助片５０に変わっている。内側板２２aに重ねると、（Ｄ）に示すものと同じになる。又、補助片５０には、隣接するテーパー形成片６０との境界線との垂線５４があり、この部分は、外側板２１bと内側板２２bとの境界線に接してテーパー保持部５４の働きをする。
【００９９】
以上、テーパー保持部３４、５４は、側板２０ａがテーパー状態から開く方向には進まず、直角になる方向には進む、一種の逆止片(弁)のようなものである。
【実施例６】
【０１００】
実施例６の積重ね可能な箱を図６に基づいて説明する。実施例６は、面同士の連結手段    に関するものである。
【０１０１】
（Ａ）は、連結片３０の周辺部に２本の切込３１，３１を入れ、下側に折り曲げて、掛片３３にしたものである。図では、わかり易くするため、上下逆にしている。
【０１０２】
（Ｂ）は、連結片３０にコの字形の切込３１を入れ、下側に折り曲げて、掛片３３にしたものである。図では、上下逆にしている。
【０１０３】
（Ｃ）は、同じくL字形の切込３１を入れ、下側に９０度曲げて、掛片３３にしたものであり、これも上下逆にしている。
【０１０４】
（Ｄ）は、直線状の短い切込３１を入れ、三角錐状のくぼみを設けた台上で、切込３１の中央部を下側に押して、V字形の掛片３３（掛片３３としては、逆V字形即ち山形）にしたものであるこれも図では、上下逆にしている。
【０１０５】
（Ｅ）は、直線状の短い切込３１を入れ、円錐形を縦に切ったようなくぼみを設けた台上で、円錐形を縦に切ったような型で押し込んで、円錐形を横に切ったような掛片３３にしたものである。これも図では、上下逆にしている。
【０１０６】
（Ｆ）は、周辺部に切込３１を入れ、片方を下側に折り曲げて、掛片３３にしたもので、これも図では、上下逆にしている。
【０１０７】
（Ｇ）は、連結受片４０に連結用のはめ孔４３を設けたものである。
【０１０８】
（Ｈ）は、連結片３０に設けた掛片３３、この例では山形の掛片３３と連結受片４０、この例では斜辺４１とが連結した状態を示す。
【実施例７】
【０１０９】
実施例７の積重ね可能な箱を図７に基づいて説明する。実施例７は、裁断面同士の連結手段に関するものである。
【０１１０】
（Ａ）は、実施例３の図３の（Ｄ）で説明したものを更に発展させたもので、連結片３０と連結受片４０との両方に切込部３５,４５を設けたものである。半島状の支持第３２,４７の先には掛片３３、受凹部４２を設ける。
【０１１１】
（Ｂ）は、連結片３０の掛片３３を約２倍の大きさに裁断して、中央の点線部を二つ折りして、引っかかりを確実にしたものである。
【０１１２】
（Ｃ）は、（Ｂ）の裁断形状を修正して、二つ折り後、同じ形にしたものである。
【０１１３】
（Ｄ）は、連結受片４０の受凹部４２を確実にするため、斜めに短く切込４５を入れ、点線部を折り曲げたものである。
【０１１４】
（Ｅ）は、三角形の凹部と出っ張った形の凸部４６に裁断して、折り曲げて受凹部４２にして、引っかかりを確実にしたものである。
【０１１５】
（Ｆ）は、L字形の切込４５を入れ、点線部を折り曲げ、受凹部４２にしたものである。
【０１１６】
（Ｇ）は、連結片３０の形状を矢印形の先端から切れ目を入れた形にして、押されると、弾性により幅が狭くなる形にし、連結受片４０にこれに対応したキノコ形の柱部を変形した形にしたものである。矢印のように、連結片３０を押し付けると、先端部の掛片３３は狭くなって、連結受片４０の受凹部４２の中に入って広がり、出られなくなり、連結される。
【実施例８】
【０１１７】
実施例８の積重ね可能な箱を図８に基づいて説明する。実施例８は、ねじり方向の弾性による連結手段に関するものである。
【０１１８】
（Ａ）は、L字型の連結片３０の先端部を示す。長手方向の垂直に出た掛片３３を矢印のように、下方に少し折り曲げて癖（くせ）付けしておく。図は、癖付け前である。
【０１１９】
（Ｂ）は、連結片３０と連結受片４０とを示し、連結片３０は、先端のＬ字形の掛片３３の方へ行くに従い、下方に曲がり、即ち、ねじった形になっている。連結受片４０には、はめ孔４３を設ける。連結片３０が長手方向に、先端部の掛片３３に向かって進むと、掛片３３は、箱素材（材料）の弾性により、下方に働く力が掛っているので、はめ孔４３にはまり、逆方向には、動けなくなる。即ち、連結される。ねじり弾性を利用したことになる。
【実施例９】
【０１２０】
実施例９の積重ね可能な箱を図９に基づいて説明する。図９は、実施例９の積重ね可能な箱の展開図である。実施例９は、底板１０が平行四辺形のものである。底板１０が平行四辺形である外は、実施例１のものを簡単にしたもので、補助片５０を除いている。連結手段は、掛片３３の代わりに切込３１にしている。テーパー状に箱を組み立て方その他は、実施例１と同様である。扇形連結片３０には、テーパー保持具を取り付けてもよい。
【０１２１】
特記事項としては、平行四辺形の頂角が鋭角の箇所は、側板押片２３の角を落とす角度を大きくする必要がある。箱に組み立て後、側板押片２３の角（隅）が鋭角部分に収まらないからである。なお、平行四辺形の各辺の長さを同じにすると、菱形になる。
【０１２２】
実施例９の積重ね可能な箱は、底板１０が長方形や正方形以外の菱形等の平行四辺形の箱に適用できる効果がある。
【産業上の利用可能性】
【０１２３】
本発明の積重ね可能な箱は、テーパー状態で、保管・運搬して、使用直前に容易に角が直角の箱に整形して、使用する箱に適用できる。
【図面の簡単な説明】
【０１２４】
【図１】実施例１の未使用時積重ね可能な箱を示す展開図、平面図、斜視図及び説明図である。
【図２】実施例２の未使用時積重ね可能な箱を示す展開図、平面図及び斜視図である。
【図３】実施例３の未使用時積重ね可能な箱を示す展開図、平面図及び説明図である。
【図４】実施例４の連結手段を示す部分展開図である。
【図５】実施例５のテーパー保持手段を示す部分展開図及び説明図である。
【図６】実施例６の連結手段を示す説明図及び斜視図である。
【図７】実施例７の連結手段を示す説明図である。
【図８】実施例８の連結手段を示す斜視図である。
【図９】実施例９の未使用時積重ね可能な箱を示す展開図である。
【符号の説明】
【０１２５】
１０……底板
１０１…固定孔
１１……長辺
１２……短辺
２０……側板
２０１…固定孔
２１……外側板
２２……内側板
２２１…固定突起
２３……側板押片
２３１…鋸歯突起
２３２…小突起
２４……上縁部
３０……連結片
３１……切込
３２……支持台
３３……掛片
３４……テーパー保持部
３５……切込部
３８……交点
４０……連結受片
４１……斜辺、周辺
４２……受凹部
４３……はめ孔
４４……テーパー凹部
４５……切込、切込部
４６……凸部
４７……支持台
５０……補助片
５１……切込
５４……テーパー保持部
６０……テーパー形成片
６１……交点
【図１】
2010018288.tif 000003
【図２】
2010018288.tif 000004
【図３】
2010018288.tif 000005
【図４】
2010018288.tif 000006
【図５】
2010018288.tif 000007
【図６】
2010018288.tif 000008
【図７】
2010018288.tif 000009
【図８】
2010018288.tif 000010
【図９】
2010018288.tif 000011